(57)【特許請求の範囲】
【請求項１】
板状の外装材と、水平面状の敷目部と、該敷目部の上端縁を上方に屈曲して突出した上片と、該上片の先端を内側方に突出した支持片と、上片と支持片により形成した支持溝と、支持片の先端を上方に突出した下片と、該下片の先端を内側方に突出した係合片と、下片と係合片とから形成した係合溝とから形成した防水兼取付具とからなり、外装材の左右連結部の目地部裏面に防水兼取付具を固定し、上段の外装材の下連結部の略中央部分は下段の防水兼取付具の係合溝に挿入されて固定されていることを特徴とする外装材の取付構造。
【発明の詳細な説明】
【０００１】
【産業上の利用分野】
本発明は施工した後もバタつきがなく、防水性、施工性、等を向上した外装材の取付構造に関するものである。
【０００２】
【従来の技術】
従来、板状の外装材、特にスレート屋根材、新生瓦屋根材（コロニアル等）を下地へ取り付ける際は、直接外装材上から釘、ビス等の固定具を打設して固定していた。
【０００３】
【発明が解決しようとする課題】
しかしながら、このような取付構造では、固定具の打設の際に誤って外装材を破損してしまうことが多々あり、取り付けには熟練を要した。また、施工後の外装材にはバタツキが見られ、強風の際等は風に煽られて物音をたてたり、最悪の場合には外装材自身が吹き飛ばされて屋根面が破壊されてしまう欠点があった。
【０００４】
【課題を解決するための手段】
本発明はこのような欠点を除去するため、板状の外装材と、水平面状の敷目部と、敷目部の上端縁を上方に屈曲して突出した上片と、上片の先端を内側方に突出した支持片と、上片と支持片により形成した支持溝と、支持片の先端を上方に突出した下片と、下片の先端を内側方に突出した係合片と、下片と係合片とから形成した係合溝とから形成した防水兼取付具とからなり、外装材の左右連結部の目地部裏面に防水兼取付具を固定し、上段の外装材の下連結部の略中央部分は下段の防水兼取付具の係合溝に挿入されて固定されている外装材の取付構造を提供するものである。
【０００５】
【実施例】
以下に図面を用いて、本発明に係る外装材の取付構造について詳細に説明する。図１〜図５は本発明に係る外装材の取付構造の一実施例を示す説明図であり、外装材Ａ、防水兼取付具Ｂ、屋根下地α、固定具βとからなるものである。なお、屋根下地αは防水シート（点線で示す）、野地板、垂木等からなるものである。勿論、屋根下地αとして鉄骨下地からなるものを使用しても良いものである。なお、図では一例として新築の構造を示しているが、既存の屋根の改修、新築の外壁、既存の壁改修にも使用できるものである。
【０００６】
なお、図１（ａ）、（ｂ）は本発明に係る外装材の取付構造を形成した家屋を示す平面図と屋根部分を示す部分拡大図、図２（ａ）は外装材Ａを示す斜視図、図２（ｂ）〜（ｄ）は防水兼取付具Ｂを示す説明図、図３（ａ）、（ｂ）、図４（ａ）〜（ｃ）、図５（ａ）、（ｂ）は施工状態を示す説明図、図３（ｃ）は取付具Ｃを示す斜視図である。
【０００７】
外装材Ａは図２（ａ）に示すように化粧面１を略方形板状に形成したものであり、上下端部に下連結部２、上連結部３を形成し、左右端部に右連結部４、左連結部５を形成したものである。
【０００８】
その素材としてはセメント板、炭酸カルシウム板、珪酸カルシウム板、セラミック板、木片セメント板、炭酸マグネシウム板、スレート板、合成樹脂板等、あるいはこれらにガラス繊維、ウィスカー、アラミド繊維、スチール繊維、炭素繊維、各種鉱物繊維、各種骨材等を混入したものを押出成形、プレス成形、射出成形、抄造法等によって成形したもの、もしくは各種繊維をクロス状、三次元状に織り、これにセメント、粘土等を含浸してパネル状に成形したものを蒸気養生、あるいは焼成したもの、粘土を押出−乾燥−焼成して形成したセラミック板、等からなるものである。また、上記素材に塗料、釉薬等の塗膜を形成したり、ＦＲＰ樹脂等を貼着して強度を向上させたりすることも出来るものである。さらに、金属板材の裏面に合成樹脂発泡体、硬質基材等を充填した外装材Ａ、その外装材Ａの裏面をシート状の裏面材で被覆した外装材Ａ、あるいは雄雌連結構造を形成した金属系サイディング材、窯業系サイディング材、等の外装材Ａを使用することもできるものである。
【０００９】
化粧面１は意匠性を向上する部分であると共に、上段の外装材Ａから流れてきた雨水等が上連結部３から浸入しないように形成した防水下地としても機能するものである。
【００１０】
下連結部２と上連結部３は上下方向において重なりあって防水性を強化する部分であると共に、屋根に段差を形成する部分でもある。
【００１１】
下連結部２と上連結部３は図５（ａ）、（ｂ）に示すように後記する支持溝１１、係合溝１４により屋根下地αに固定されるものである。
【００１２】
右連結部４と左連結部５は図４（ｃ）に示すように連結され、目地部γにおいて防水性の強化、気密性の強化、施工性の強化（少々ずれても間隙が生じない）、等のために形成したものである。
【００１３】
なお、外装材Ａ自体は固定具βにより打設しないものであり、固定具β打設による外装材Ａの破損を無くすものである。
【００１４】
防水敷目板Ｂは例えば図２（ｂ）〜（ｄ）に示すように、水平面状の敷目部６と敷目部６の左右両端部を上方に突出した防水片７と、敷目部６の上端縁を内側方に屈曲して突出した固定片８と、固定片８の先端を上方に突出した上片９と、上片９の先端を内側方に突出した支持片１０と、上片９と支持片１０により形成した支持溝１１と、支持片１０の先端を上方に突出した下片１２と、下片１２の先端を内側方に突出した係合片１２と、下片１２と係合片１２とから形成した係合溝１４とから形成したものである。
【００１５】
敷目部６は目地部γの裏面に図３（ａ）、（ｂ）、図４（ａ）〜（ｃ）に示すように形成されるものであり、目地部γより浸入した雨水を下段の外装材Ａ上に流下させ、目地部γからの雨水の屋根下地αへの浸入を防止するものである。
【００１６】
防水片７は、目地部γから浸入した雨水等が防水兼取付具Ｂを乗り越えて屋根下地αまで浸入しないように形成し、雨漏り防止、屋根下地αの腐食防止のために形成したものである。また、固定片８は釘等の固定具βにより屋根下地αに打設することにより、防水兼取付具Ｂを固定する部分である。
【００１７】
その素材としては、ステンレス、アルミニウム、スチール、銅等の各種鋼板、あるいはプラスチック樹脂、ＦＲＰ樹脂、等から形成したものである。
【００１８】
係合溝１４は目地部γ部分において、上段の外装材Ａの略中央部分の下連結部２を挿入することにより固定する部分である。
【００１９】
勿論、図３（ｃ）に示すような取付金具Ｃを補助金具とし、目地部γ以外の部分で、外装材Ａの下連結部２と上連結部３を固定するように形成しても良いものである。この場合には、１枚の外装材Ａに対して取付金具Ｃを２個以上使用するのが好ましいものである。
【００２０】
以上説明したのは、本発明に係る外装材の取付構造の一実施例であり、図６（ａ）〜（ｃ）〜図１６（ａ）〜（ｃ）に示すような各部材を用いた構造とすることも出来る。すなわち、図６（ａ）〜（ｃ）は外装材Ａのその他の例を示す説明図であり、Ｄは化粧面１上に形成したパッキング材であり、防水性を向上した外装材Ａである。また、図７（ａ）〜（ｋ）は外装材Ａのその他の例を示す説明図であり、特に（ｊ）、（ｋ）図は下連結部２に係止溝２ａを形成し、係止溝２ａに防水兼取付具Ｂの係止片９（係合片１３）を係止して外装材Ａを固定するようにし、防水兼取付具Ｂが外部に露出しないように形成した外装材Ａである。勿論、図７（ａ）〜（ｋ）において、裏面１ａを化粧面１として形成した外装材Ａとすることもできる。
【００２１】
定型で弾性のあるパッキング材Ｄとしては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものであり、主に防水材、気密材等の機能として有用なものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することも出来る。
【００２２】
図８（ａ）〜（ｄ）、図９（ａ）〜（ｃ）は本発明に係る外装材の取付構造の目地部γのその他の実施例を示すものであり、相决り構造、実構造に形成した外装材Ａを示すものである。また、図８（ｂ）〜（ｄ）は目地部γの裏面の外装材Ａ間にパッキング材Ｄを形成した取付構造である。
【００２３】
特に、図８（ｂ）、（ｃ）は左連結部５に防水溝５ａを形成し、防水性を強化した取付構造である。
【００２４】
また、図９（ａ）〜（ｃ）において、（ａ）図は外装材Ａの右連結部４と左連結部５に溝１５を形成し、防水兼取付具Ｂの防水片７が挿入されて左右に移動しないように形成した取付構造、（ｂ）図は防水兼取付具Ｂの防水片７と外装材Ａの裏面１ａ間にパッキング材Ｄを形成し、防水性を強化した取付構造、（ｃ）図は右連結部４と左連結部５を実構造に形成した取付構造である。
【００２５】
図１０（ａ）〜（ｍ）は防水兼取付具Ｂのその他の実施例を示す端面図であり、特に、（ｈ）図は片方の防水片７に接着剤１６を形成し、外装材Ａの一端部に防水兼取付具Ｂを施工前に取り付けるようにしたものである。また、（ｉ）〜（ｍ）図はパッキング材Ｄを形成し、防水性を強化した防水兼取付具Ｂである。
【００２６】
図１１（ａ）〜（ｅ）は防水兼取付具Ｂの支持片１０、支持溝１１、下片１２、係合片１３、係合溝１４部分のその他の実施例を示す斜視図である。
【００２７】
図１２（ａ）〜（ｇ）は防水兼取付具Ｂのその他の実施例を示す断面図である。
【００２８】
図１３（ａ）〜（ｆ）は防水兼取付具Ｂのその他の実施例を示す断面図であり、（ａ）図は支持溝１１にパッキング材Ｄを形成して防水性を強化した防水兼取付具Ｂ、（ｂ）図は固定片８を削除した防水兼取付具Ｂ、（ｃ）図は支持溝１１を大きく形成した防水兼取付具Ｂ、（ｄ）〜（ｆ）図は防水片７を削除して防水片７の代わりに両端部にパッキングＤを形成するようにした防水兼取付具Ｂであり、（ｆ）図に示すようにパッキング材Ｄを形成するものである。
【００２９】
図１４（ａ）〜（ｄ）は取付金具Ｅにより固定するようにした防水兼取付具Ｂを示す説明図であり、上片９、支持片１０を取付金具Ｅにより固定するようにしたものである。
【００３０】
図１５（ａ）〜（ｉ）は防水兼取付具Ｂのその他の実施例を示す断面図であり、（ａ）〜（ｉ）図は防水兼取付具Ｂの裏面にバックアップ材Ｆを形成した防水兼取付具Ｂであり、屋根上に人が上がった場合に外装材Ａが荷重により割れたりしないように形成したものである。
【００３１】
バックアップ材Ｆとしては木材、プラスチック材、金属の成形板、セメント板、炭酸カルシウム板、珪酸カルシウム板、セラミック板、木片セメント板、炭酸マグネシウム板、シージングボード、シージングインシュレーションボード、アスファルトシングル等、あるいは合成樹脂発泡体、合成樹脂発泡体とその裏面をシート状の裏面材で被覆したもの、等よりなるものである。
【００３２】
図１６（ａ）〜（ｃ）は防水兼取付具Ｂのその他の実施例を示す説明図であり、係合片１３の先端を図では上方に屈曲突出し、雪止片１７を形成したものである。勿論、この防水兼取付具Ｂは軒先近傍の雪が落下しないようにする部分にのみ形成するものであり、雪止め機能と、防水機能を具備したジョイントとなるものである。
【００３３】
勿論、防水兼取付具Ｂを外壁材のジョイントとしても使用できるものである。
【００３４】
【発明の効果】
上述したように、本発明に係る外装材の取付構造によれば、▲１▼外装材の両側縁に防水兼取付具を形成するために、防水性が強化される。▲２▼外装材自体は固定具により直接打設されることがなく、割れることがない。▲３▼緩い勾配の屋根に使用することが出来る。▲４▼外装材の両端と、略中央部分が固定されるために取付強度が強い。等の特徴、効果がある。
【図面の簡単な説明】
【図１】本発明に係る外装材の取付構造の代表的な一例を示す説明図である。
【図２】本発明に係る外装材の取付構造で使用する外装材と防水兼取付具の代表的な一例を示す説明図である。
【図３】本発明に係る外装材の取付構造の施工状態を示す説明図である。
【図４】本発明に係る外装材の取付構造の施工状態を示す説明図である。
【図５】本発明に係る外装材の取付構造の施工状態を示す説明図である。
【図６】本発明に係る外装材の取付構造で用いられた外装材のその他の例を示す説明図である。
【図７】本発明に係る外装材の取付構造で用いられた外装材のその他の例を示す説明図である。
【図８】本発明に係る外装材の取付構造のその他の例を示す説明図である。
【図９】本発明に係る外装材の取付構造のその他の例を示す説明図である。
【図１０】本発明に係る外装材の取付構造で用いられた防水兼取付具のその他の例を示す説明図である。
【図１１】本発明に係る外装材の取付構造で用いられた防水兼取付具のその他の例を示す説明図である。
【図１２】本発明に係る外装材の取付構造で用いられた防水兼取付具のその他の例を示す説明図である。
【図１３】本発明に係る外装材の取付構造で用いられた防水兼取付具のその他の例を示す説明図である。
【図１４】本発明に係る外装材の取付構造で用いられた防水兼取付具のその他の例を示す説明図である。
【図１５】本発明に係る外装材の取付構造で用いられた防水兼取付具のその他の例を示す説明図である。
【図１６】本発明に係る外装材の取付構造で用いられた防水兼取付具のその他の例を示す説明図である。
【符号の説明】
Ａ  外装材
Ｂ  防水兼取付具
Ｃ  取付具
Ｄ  パッキング材
Ｅ  取付金具
Ｆ  バックアップ材
α  屋根下地
β  固定具
γ  目地部
１  化粧面
１ａ  裏面
２  下連結部
２ａ  係止溝
３  上連結部
４  右連結部
５  左連結部
５ａ  防水溝
６  敷目部
７  防水片
８  固定片
９  上片
１０  支持片
１１  支持溝
１２  下片
１３  係合片
１４  係合溝
１５  溝
１６  接着剤
１７  雪止片
【図１】
0004163330.tif 000002
【図２】
0004163330.tif 000003
【図３】
0004163330.tif 000004
【図４】
0004163330.tif 000005
【図５】
0004163330.tif 000006
【図６】
0004163330.tif 000007
【図７】
0004163330.tif 000008
【図８】
0004163330.tif 000009
【図９】
0004163330.tif 000010
【図１０】
0004163330.tif 000011
【図１１】
0004163330.tif 000012
【図１２】
0004163330.tif 000013
【図１３】
0004163330.tif 000014
【図１４】
0004163330.tif 000015
【図１５】
0004163330.tif 000016
【図１６】
0004163330.tif 000017